(57)【特許請求の範囲】
【請求項１】
正面側に映像を表示する表示領域を中央部に有し、非表示領域を前記表示領域の周囲に有する表示パネルと、該表示パネルの背面側に配してあり、前記表示パネルに対向する導光板と、該導光板及び表示パネルの間に配してある光学シートと、該光学シート及び導光板の間に配してあり、前記光学シートの縁部分を支持する支持部とを備える表示装置において、
前記光学シートは前記表示領域及び非表示領域に対向しており、
前記支持部の少なくとも一部は前記非表示領域及び表示領域の境界よりも表示領域側に位置し、
前記支持部における前記表示領域に対向する部分に孔又は切欠が設けてあること
を特徴とする表示装置。
【請求項２】
請求項１に記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は光源からの光を導光板を介して表示パネルに出射し、映像を表示する表示装置及びテレビジョン受信機に関する。
【背景技術】
【０００２】
表示画面の大きさに比べて室内の占有面積が小さい薄型の表示装置（例えば液晶表示装置）は、限られた室内空間を有効に利用することができることから、一般に広く普及している。液晶表示装置は、映像を表示する液晶表示パネルに、光源からの光を出射し、映像を表示するように構成されている。近年では消費電力の低減を図るべく、光源にＬＥＤ(Light emitting diode)を採用し、導光板を表示パネルの背面側に配置して、ＬＥＤを導光板の周面に対向させて、光を表示パネルに供給している。導光板と表示パネルとの間には光の拡散及び集束を行う光学シートが配置してある（例えば特許文献１参照）。
【０００３】
特許文献１には表示パネルの周囲にモールドフレームを配置し、該モールドフレームによって表示パネルを支持している。モールドフレームは光学シートと導光板との間において、内側に向けて僅かに突出した突出部を有しており、該突出部によって光学シートを支持している。表示パネルは、その中央部に映像を表示する表示領域を有し、表示領域の周囲に非表示領域を有しているが、前記突出部は非表示領域に対向する位置までしか突出していない。
【先行技術文献】
【特許文献】
【０００４】
【特許文献１】特開２０１１−１７０２７５号公報
【発明の概要】
【発明が解決しようとする課題】
【０００５】
光学シートは熱によって伸縮するため、光源からの熱の伝導を遮断することが望ましい。特許文献１に記載の表示装置は突出部によって、光源からの熱の伝導を抑制しているが、突出部の突出端部は非表示領域に対向する位置に留まり、熱の遮断が不十分である。
【０００６】
本発明は斯かる事情に鑑みてなされたものであり、光源から光学シートへの熱伝導を確実に遮断する表示装置及びテレビジョン受信機を提供することを目的とする。
【課題を解決するための手段】
【０００７】
本発明に係る表示装置は、正面側に映像を表示する表示領域を中央部に有し、非表示領域を前記表示領域の周囲に有する表示パネルと、該表示パネルの背面側に配してあり、前記表示パネルに対向する導光板と、該導光板及び表示パネルの間に配してある光学シートと、該光学シート及び導光板の間に配してあり、前記光学シートの縁部分を支持する支持部とを備える表示装置において、前記光学シートは前記表示領域及び非表示領域に対向しており、前記支持部の少なくとも一部は前記非表示領域及び表示領域の境界よりも表示領域側に位置し、前記支持部における前記表示領域に対向する部分に孔又は切欠が設けてあることを特徴とする。
【０００８】
本発明においては、光学シートを支持する支持部が非表示領域のみならず、表示領域に対向する位置にまで存在するため、光源からの熱の伝導を確実に遮断する。
【００１０】
本発明においては、支持部において表示領域に対向する部分に通光部分を設けて、表示領域への光の出射を確実に行い、表示パネルの輝度の低下を防止し、表示品位を維持することができる。
【００１２】
本発明においては、孔又は切欠を通光部分とすることによって、表示パネルへの光の出射を実現する。
【００１５】
本発明に係るテレビジョン受信機は、前述した表示装置と、テレビジョン放送を受信する受信部とを備え、前記受信部にて受信したテレビジョン放送に基づいて、前記表示装置に映像を表示するようにしてあることを特徴とする。
【００１６】
本発明においては、上述した表示装置と同様な作用効果を奏することができる。
【発明の効果】
【００１７】
本発明にあっては、光学シートを支持する支持部が非表示領域のみならず、表示領域に対向する位置にまで存在するため、光源からの熱の伝導を確実に遮断する。
【図面の簡単な説明】
【００１８】
【図１】実施の形態１に係るテレビジョン受信機を略示する斜視図である。
【図２】テレビジョン受信機を部分的に略示する縦断面図である。
【図３】実施の形態２に係るテレビジョン受信機を部分的に略示する縦断面図である。
【図４】実施の形態３に係るテレビジョン受信機を部分的に略示する縦断面図である。
【発明を実施するための形態】
【００１９】
（実施の形態１）
以下本発明を実施の形態１に係るテレビジョン受信機を示す図面に基づいて詳述する。図１はテレビジョン受信機を略示する斜視図である。
【００２０】
図において１はテレビジョン受信機であり、該テレビジョン受信機１は、映像を表示する表示装置１００と、該表示装置１００内に配設してあり、アンテナ（不図示）から放送波を受信するチューナ２００（受信部）と、表示装置１００内に配設してあり、符号化された放送波を復号するデコーダ３００とを備える。テレビジョン受信機１は、チューナ２００にて受信した放送波をデコーダ３００で復号し、復号した情報に基づいて表示装置１００に映像を表示する。なおチューナ２００及びデコーダ３００を表示装置１００の外部に設けて、表示装置１００に接続してもよい。テレビジョン受信機１の下部に、テレビジョン受信機１を支持するスタンド４００が設けてある。
【００２１】
表示装置１００は液晶を有する矩形の表示パネル１０を備えており、該表示パネル１０は液晶への印加電圧を制御して光の透過率を調整するように構成されている。表示パネル１０は、前後に配置された前キャビネット２０及び後キャビネット３０において、縦向きに収容されている。前キャビネット２０は矩形の枠状をなし、その中央部に矩形の開口２０ａを有する。前キャビネット２０は、例えばアルミニウム部材からなる。後キャビネット３０は、前側が開放された矩形のトレイ状をなし、例えば電気亜鉛めっき鋼板からなる。前キャビネット２０及び後キャビネット３０を金属にすることによって、効率の良い放熱を実現し、また両者の熱膨張係数の差を小さくして歪みの発生を防止することができる。なお前キャビネット２０及び後キャビネット３０を樹脂部材によって構成してもよい。
【００２２】
前キャビネット２０及び後キャビネット３０の上下及び左右寸法は略同じであり、互いの周縁部分が対向する。表示パネル１０の上下及び左右寸法は、前記開口２０ａよりも若干大きく、表示パネル１０の周縁部分は前キャビネット２０の内縁部分に対向している。
【００２３】
図２はテレビジョン受信機１を部分的に略示する縦断面図である。
図２に示すように、表示パネル１０は、その中央部に映像を表示する表示領域を有しており、該表示領域の周囲（表示パネル１０の外周縁部分）に、映像が表示されない非表示領域を有する。前キャビネット２０及び後キャビネット３０の内側周縁部に矩形枠状の支持部１３が設けてある。該支持部１３は、正面側に断面Ｌ形をなし、表示パネル１０を支持するパネル支持溝部１３０を備えている。該パネル支持溝部１３０は、前キャビネット２０に対向する対向面部１３０ａと、支持部１３の外周縁部に位置し、対向面１３０ａに直角な側面部１３０ｂとを有する。対向面部１３０ａ及び前キャビネット２０によって、表示パネル１０の非表示領域が挟持されている。
【００２４】
支持部１３は、背面側に断面Ｌ形をなし、後述する光学シート１１を支持するシート支持溝部１３１を備えている。該シート支持溝部１３１は、表示パネル１０の表示領域及び非表示領域に対向する対向面部１３１ａと、支持部１３の外周縁部に位置し、対向面部１３１ａに直角な側面部１３１ｂとを有する。対向面部１３１ａは表示領域及び非表示領域の境界部分に沿って配してある。光の拡散及び集束を行う複数の光学シート１１が表示パネル１０と対向面部１３１ａとの間に設けてあり、該光学シート１１の縁部分は対向面部１３１ａに支持されている。
【００２５】
対向面部１３１ａの背面側に導光板１２が設けてあり、該導光板１２の正面は光学シート１１に対向している。導光板１２はその背面部分に反射シート１２ａを有しており、正面に向けて光を反射するようにしてある。導光板１２の縁部分背面側にＬＥＤ基板１４が設けてある。該ＬＥＤ基板１４は導光板１２よりも外側に突出しており、この突出した部分の正面にＬＥＤ１５が実装してある。ＬＥＤ１５は導光板１２の周面に対向している。導光板１２及びＬＥＤ基板１４は、後キャビネット３０及び対向面部１３１ａの間で支持されている。
【００２６】
ＬＥＤ１５から発せられた光は導光板１２に入射し、反射して導光板１２の正面から出射する。導光板１２から出射した光は光学シート１１によって拡散され、表示パネル１０に入射する。図２の矢印にて示すように、対向面部１３１ａ付近にて、光学シート１１にて拡散された光は対向面部１３１ａの正面に対向する位置に進行し、表示パネル１０に入射する。そのため、対向面部１３１ａが対向する表示領域において、輝度の低下を防止することができ、表示品位は維持される。
【００２７】
実施の形態１に係るテレビジョン受信機１にあっては、光学シート１１を支持する対向面部１３１ａが非表示領域のみならず、表示領域に対向する位置にまで存在するため、ＬＥＤ１５から光学シート１１への熱伝導を確実に遮断することができる。
【００２８】
（実施の形態２）
以下本発明を実施の形態２に係るテレビジョン受信機１を示す図面に基づいて詳述する。図３はテレビジョン受信機１を部分的に略示する縦断面図である。
支持部１３は、後キャビネット３０の側面に対向する部分にＬＥＤ基板１４を挿入する挿入溝１３ａを備える。挿入溝１３ａは正面側に窪んでおり、ＬＥＤ基板１４の正面部分が導光板１２の側面に対向するように挿入溝１３ａに挿入してある。ＬＥＤ基板１４における導光板１２に対向する面にＬＥＤ１５が実装してある。
【００２９】
対向面部１３１ａは、表示領域及び非表示領域の境界において正背面方向に貫通した貫通孔１３１ｃを有する。貫通孔１３１ｃの直径は背面側が大きく、正面側が小さくなるようにしてある。貫通孔１３１ｃは表示領域寄りに配してあり、貫通孔１３１ｃの正面側の開口全体は表示領域に臨む位置にある。そのため導光板１２から出射され、貫通孔１３１ｃを通過した光は表示領域に向けて集束し、表示パネル１０に入射する。対向面部１３１ａが対向する表示領域に、集束した光が入射し、輝度の低下を確実に防止することができ、表示品位を維持することができる。なお貫通孔１３１ｃに代えて切欠を設け、該切欠内を光が通過するようにしてもよい。該切欠においても、正面側の径を背面側よりも小さくし、正面側の開口全体が表示領域に臨むように設計しても良い。
【００３０】
実施の形態２に係るテレビジョン受信機１の構成の内、実施の形態１と同様な構成については同じ符号を付し、その詳細な説明を省略する。
【００３１】
（実施の形態３）
以下本発明を実施の形態３に係るテレビジョン受信機１を示す図面に基づいて詳述する。図４はテレビジョン受信機１を部分的に略示する縦断面図である。対向面部１３１ａの一部又は全部は透光性部材１３１ｄからなり、透光性部材１３１ｄは表示領域に対向する位置に配してある。なお支持部１３において、透光性部材１３１ｄ以外の部分は非透光性部材からなり、支持部は透光性部材１３１ｄと非透光性部材との二色成型によって構成されている。導光板１２から出射された光は、対向面部１３１ａに入射し、通過することができる。対向面部１３１ａを通過した光は、表示パネル１０の表示領域に入射する。対向面部１３１ａが対向する表示領域において、輝度の低下を確実に防止することができ、表示品位を維持することができる。
【００３２】
実施の形態３に係るテレビジョン受信機１の構成の内、実施の形態１又は２と同様な構成については同じ符号を付し、その詳細な説明を省略する。
【００３３】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００３４】
１  テレビジョン受信機
１０  表示パネル
１１  光学シート
１２  導光板
１３  支持部
１３０  パネル支持溝部
１３０ａ  対向面部
１３０ｂ  側面部
１３１  シート支持溝部
１３１ａ  対向面部
１３１ｂ  側面部
１３１ｃ  貫通孔
１３１ｄ  透光性部材
１００  表示装置
２００  チューナ（受信部）
【図１】
0005508478.tif 000002
【図２】
0005508478.tif 000003
【図３】
0005508478.tif 000004
【図４】
0005508478.tif 000005